(57)【要約】【課題】  飯箱受け台が炊飯機による炊飯作業の邪魔にならないようにすると共に、炊飯器の内釜から炊いたご飯を飯箱に簡単に移すことができるようにする。【解決手段】  機フレーム２の上段に貯米庫が設けられ、機フレーム２の中段に洗米装置４が設けられ、機フレーム２の下段に炊飯器１０を載置する載置台１２が前方に引出し自在に設けられた炊飯機において、  載置台１２から飯箱受け台１６が載置台１２上の炊飯器１０の側方を塞ぐ収納姿勢Ｙ１と、載置台１２の側方から水平状に突出する使用姿勢Ｘ１とに姿勢変更自在に取り付けられている。【選択図】図１
2011019610.tif 000002
【特許請求の範囲】
【請求項１】
機フレーム（２）の上段に貯米庫（３）が設けられ、機フレーム（２）の中段に洗米装置（４）が設けられ、機フレーム（２）の下段に炊飯器（１０）を載置する載置台（１２）が前方に引出し自在に設けられた炊飯機において、
載置台（１２）から飯箱受け台（１６）が載置台（１２）上の炊飯器（１０）の側方を塞ぐ収納姿勢（Ｙ１）と、載置台（１２）の側方から水平状に突出する使用姿勢（Ｘ１）とに姿勢変更自在に取り付けられていること特徴とする炊飯機。
【請求項２】
前記飯箱受け台（１６）は、内側部が載置台（１２）に前記姿勢変更自在に連結された台本体（２０）と、台本体（２０）の外側部を支える脚体（２１）とを有し、脚体（２１）は台本体（２０）の外側部に、台本体（２０）から下方に突出して台本体（２０）を前記使用姿勢（Ｘ１）に支える突出状態（Ｘ２）と台本体（２０）の下面に沿う折り畳み状態（Ｙ２）とに状態変更自在に連結されていることを特徴とする請求項１に記載の炊飯機。
【請求項３】
前記飯箱受け台（１６）は載置台（１２）の外側部に前後軸廻りに揺動自在に連結されており、前記載置台（１２）の前部に上方突設した引き出し用取っ手（１３）と飯箱受け台（１６）との間に、飯箱受け台（１６）を収納姿勢（Ｙ１）にしたときに連結可能な倒れ防止フック（２３）が設けられていることを特徴とする請求項１又は２に記載の炊飯機。
【発明の詳細な説明】
【技術分野】
【０００１】
本発明は、炊飯機に関するものである。
【背景技術】
【０００２】
自動炊飯機等の炊飯機には、機フレームの上段に貯米庫が設けられ、機フレームの中段に洗米装置が設けられ、機フレームの下段に炊飯器を載置する載置台が前方に引出し自在に設けられたものがある（例えば特許文献１）。
この種の従来の炊飯機では、飯箱を受ける飯箱受け台を載置台とは別個に設置するのが一般的であった。
【先行技術文献】
【特許文献】
【０００３】
【特許文献１】特開２００３−９３２２８号公報
【発明の概要】
【発明が解決しようとする課題】
【０００４】
従って、従来では、炊飯器の内釜のご飯を飯箱に移す場合、引き出した載置台上の炊飯器の横に飯箱受け台を置き、その受け台上に飯箱を配置し、炊飯器の内釜から炊けたご飯を飯箱に移すようにしており、ご飯を飯箱に移し終わると、飯箱受け台を載置台の横等に置いたり立て掛けるようにしており、飯箱受け台が炊飯機による炊飯作業の邪魔になるという問題があった。
本発明は上記問題点に鑑み、飯箱受け台が炊飯機による炊飯作業の邪魔にならないようにすると共に、炊飯器の内釜から炊いたご飯を飯箱に簡単に移すことができるようにしたものである。
【課題を解決するための手段】
【０００５】
この技術的課題を解決する本発明の技術的手段は、機フレームの上段に貯米庫が設けられ、機フレームの中段に洗米装置が設けられ、機フレームの下段に炊飯器を載置する載置台が前方に引出し自在に設けられた炊飯機において、
載置台から飯箱受け台が載置台上の炊飯器の側方を塞ぐ収納姿勢と、載置台の側方から水平状に突出する使用姿勢とに姿勢変更自在に取り付けられている点にある。
また、本発明の他の技術的手段は、前記飯箱受け台は、内側部が載置台に前記姿勢変更自在に連結された台本体と、台本体の外側部を支える脚体とを有し、脚体は台本体の外側部に、台本体から下方に突出して台本体を前記使用姿勢に支える突出状態と台本体の下面に沿う折り畳み状態とに状態変更自在に連結されている点にある。
【０００６】
また、本発明の他の技術的手段は、前記飯箱受け台は載置台の外側部に前後軸廻りに揺動自在に連結されており、前記載置台の前部に上方突設した引き出し用取っ手と飯箱受け台との間に、飯箱受け台を収納姿勢にしたときに連結可能な倒れ防止フックが設けられている点にある。
【発明の効果】
【０００７】
本発明によれば、載置台から飯箱受け台が載置台上の炊飯器の側方を塞ぐ収納姿勢と、載置台の側方から水平状に突出する使用姿勢とに姿勢変更自在に取り付けられているので、飯箱受け台が炊飯機による炊飯作業の邪魔にならないようにすると共に、炊飯器の内釜から炊いたご飯を飯箱に簡単に移すことができる。しかも、飯箱受け台を収納姿勢にしたとき、載置台上の炊飯器の側方を飯箱受け台が塞ぐため、高温になった炊飯器に外部のものが触れたり衝当したりするのを飯箱受け台で防いで、炊飯器乃至外部のものを飯箱受け台によって保護することができる。
【図面の簡単な説明】
【０００８】
【図１】本発明の一実施形態を示す自動炊飯機の正面図である。
【図２】同自動炊飯機の側面図である。
【図３】同自動炊飯機の底面図である。
【図４】同飯箱受け台を使用姿勢にしたときの炊飯機下部の斜視図である。
【図５】同飯箱受け台を収納姿勢にしたときの炊飯機下部の斜視図である。
【図６】他の実施形態を示す自動炊飯機の正面図である。
【発明を実施するための形態】
【０００９】
以下、図面に基づいて本発明の実施の形態を説明する。
図１及び図２は米の計量から炊飯までをマイコン制御により自動的に行う業務用（又は家庭用であってもよい）全自動炊飯機１の概略全体構成図を示す。
図１及び図２において、自動炊飯機１の機フレーム２の上段に貯米庫３が設けられ、貯米庫３の下方の機フレーム２の中段に洗米装置４が設けられている。
貯米庫３は箱形の貯米ケース５を備え、貯米ケース５内の上部には米を貯留する貯米タンクが固定され、この貯米タンクの上端開口は米を投入するための投入口とされ、貯米タンクの下端側には、貯米タンク内の米を所望量計量して下方に排出する計量機が設けられている。機フレーム２は、下端部の平面視矩形状のベース部材７の後端側の左右両側に支柱部材８を立設して主構成されている。
【００１０】
洗米装置４の下方には、炊飯器１０が配置可能なスペースが設けられ、機フレーム２の下段に、炊飯器１０を載置する載置台１２が左右一対のレール部材等を介してベース部材７に対して前方に引出し自在に設けられ、載置台１２の前端部にコの字状の引き出し用取っ手１３が上方突設されている。左右の支柱部材８の間隔は炊飯器１０の左右幅よりも大に形成されている。
図１〜図５において、載置台１２の左側部に蝶番１５により飯箱受け台１６が取り付けられ、これにより飯箱受け台１６は載置台１２の外側部に前後軸廻り（図１に示す矢印Ａ，Ｂ方向）に揺動自在に連結されて、載置台１２の外側方に水平状に突出する使用姿勢Ｘ１と、載置台１２の外側部から立ち上がる収納姿勢Ｙ１とに姿勢変更自在とされている。
【００１１】
飯箱受け台１６は台本体２０と台本体２０の外側部を支える脚体２１とを有し、台本体２０の下面側に前後一対のＬ字状の取付杆２２が固設され、台本体２０の内側部が載置台１２に蝶番１５により前後軸廻りに前記姿勢変更自在に連結されている。脚体２１は台本体２０（一対の取付杆２２）の外側部に、図４に示す矢印Ｃ，Ｄ方向に揺動自在に支持されており、台本体２０から下方に突出して台本体２０を前記使用姿勢Ｘ１に支える突出状態Ｘ２と台本体２０の下面に沿う折り畳み状態Ｙ２とに状態更自在に連結されている。
脚体２１は、前後一対の支持脚２９と前後一対の支持脚２９を連結するＬ字形の連結杆３０と、連結杆３０の前後両端部に突出された前後一対の突出脚３１とを備え、突出脚３１はボルト等により構成され、連結杆３０に固着したナット３２に突出長さ調整自在に螺合されている。
【００１２】
図１及び図５に示すように、引き出し用取っ手１３に飯箱受け台１６を収納姿勢Ｙ１に保持すべく着脱自在に連結する倒れ防止フック２３が設けられている。倒れ防止フック２３の一端部が引き出し用取っ手１３に揺動自在に連結され、倒れ防止フック２３の他端部にフック部２２が設けられ、このフック部２２が台本体２０に突設した係止片２４に係脱自在に係合されている。なお、図１とは逆に、倒れ防止フック２３の一端部を台本体２０に揺動自在に連結し、引き出し用取っ手１３に係止片２４を突設し、倒れ防止フック２３の他端部にクック部２２を設け、該フック部２２を引き出し用取っ手１３の係止片２４に係脱自在に係合するようにしてもよい。
【００１３】
上記実施の形態によれば、炊飯器１０の内釜のご飯を飯箱２５に移す場合、引き出し用取っ手１３を把持して、載置台１２を前方に引き出した後、倒れ防止フック２３を飯箱受け台１６から外して、飯箱受け台１６を蝶番１５を支点に前後軸廻りに矢印Ａ方向に回動して、飯箱受け台１６を収納姿勢Ｙ１から使用姿勢Ｘ１に姿勢変更する。このとき、脚体２１を台本体２０から下方に突出させて台本体２０を使用姿勢Ｘ１に支える突出状態Ｘ２にする。その後、図１に２点鎖線で示す如く飯箱受け台１６に飯箱２５を載せて、炊飯器１０の内釜内のご飯を飯箱２５に移せばよく、炊飯器１０の内釜内ご飯を飯箱２５内に簡単に移すことができる。
【００１４】
そして、ご飯を飯箱２５に移し終わると、飯箱受け台１６を蝶番１５を支点に前後軸廻りに矢印Ｂ方向に回動して収納姿勢Ｙ１に戻す。このとき、脚体２１を台本体２０の下面に沿う折り畳み状態Ｙ２に状態変更にすると共に、倒れ防止フック２３を飯箱受け台１６に引っ掛けておきばよく、飯箱受け台１６が不測に使用姿勢Ｘ１に姿勢変更するおそれもなくなり、また、脚体２１が折り畳み状態Ｙ２に保持される。その後、引き出し用取っ手１３を把持して、載置台１２を後方に移動すれば、載置台１２と共に飯箱受け台１６も後方に移動し、飯箱受け台１６が炊飯作業の邪魔になるようなこともなくなる。
【００１５】
しかも、飯箱受け台１６を収納姿勢にしたとき、載置台１２上の炊飯器１０の側方を飯箱受け台１６が塞ぐため、高温になった炊飯器１０に外部のものが触れたり衝当したりするのを飯箱受け台１６で防いで、炊飯器１０乃至外部のものを飯箱受け台１６によって効果的に保護することができる。
なお、図１に２点鎖線で示すように、台本体２０と脚体２１との間にリンク部材３５を設けるようにしてもよい。このリンク部材３５は一対のリンク体３６を支軸３８廻りに連結してなり、リンク部材３５の両端部が、台本体２０と脚体２１とにそれぞれ枢支軸３９廻りに回動自在に連結されている。リンク部材３５の伸長により脚体２１を突出状態Ｘ２に保持して、飯箱受け台１６を使用姿勢Ｘ１にしたときに、脚体２１が突出状態Ｘ２から折り畳み状態Ｙ２に不測に移動するのを防止すると共に、リンク部材３５の屈曲により脚体２１を折り畳み状態Ｙ２に保持して、飯箱受け台１６を収納姿勢Ｙ１にしたときに、脚体２１が折り畳み状態Ｙ２から突出状態Ｘ２に不測に移動するのを防止している。
【００１６】
図６は他の実施形態を示し、載置台１２の左右両側部に蝶番１５により飯箱受け台１６が左右一対取り付けられ、これにより一対の飯受け台は載置台１２の左右両外側部に前後軸廻りに揺動自在に連結されて、載置台１２の外側方に水平状に突出する使用姿勢Ｘ１と、載置台１２の外側部から立ち上がる収納姿勢Ｙ１とに姿勢変更自在とされている。その他の点は前記実施の形態の場合と同様の構成である。
なお、前記実施の形態では、載置台１２から飯箱受け台１６が載置台１２上の炊飯器１０の左右側方を塞ぐ収納姿勢Ｙ１と、載置台１２の左右側方から水平状に突出する使用姿勢Ｘ１とに姿勢変更自在に取り付けられているが、これに代え、載置台１２から飯箱受け台１６が載置台１２上の炊飯器１０の前側方を塞ぐ収納姿勢Ｙ１と、載置台１２の前側方から水平状に突出する使用姿勢Ｘ１とに姿勢変更自在に取り付けるようにしてもよい。
【００１７】
また、前記実施の形態では、飯箱受け台１６の台本体２０と脚体２１とをそれぞれ別個に動かして、使用姿勢Ｘ１又は収納姿勢Ｙ１、突出状態Ｘ２又は折り畳み状態Ｙ２に変更するようにしているが、これに代え、リンク機構又はモータ駆動により台本体２０と脚体２１とを互いに連動させて、使用姿勢Ｘ１又は収納姿勢Ｙ１と、突出状態Ｘ２又は折り畳み状態Ｙ２とに変更させるようにしてもよい。
また、前記実施の形態では、飯箱受け台１６は台本体２０と台本体２０の外側部を支える脚体２１とを有しているが、脚体２１に代えて、台本体２０と支持部材８との間に前記リンク部材３５と同様のリンク部材又は紐部材を設け、該リンク部材又は紐部材によって、台本体２０を支持部材８に対して使用姿勢Ｘ１又は収納姿勢Ｙ１とに姿勢変更自在に吊り下げるようにしてもよい。
【産業上の利用可能性】
【００１８】
機フレームの上段に貯米庫が設けられ、機フレームの中段に洗米装置が設けられ、機フレームの下段に炊飯器を載置する載置台が前方に引出し自在に設けられた自動炊飯機等の炊飯機に利用できる。
【符号の説明】
【００１９】
１    自動炊飯機
２    機フレーム
３    貯米庫
４    洗米装置
１０    炊飯器
１２    載置台
１３    引き出し用取っ手
１６    飯箱受け台
２０    台本体
２１    脚体
２３    倒れ防止フック
Ｘ１    使用姿勢
Ｙ１    収納姿勢
Ｘ２    突出状態
Ｙ２    折り畳み状態
【図１】
2011019610.tif 000003
【図２】
2011019610.tif 000004
【図３】
2011019610.tif 000005
【図４】
2011019610.tif 000006
【図５】
2011019610.tif 000007
【図６】
2011019610.tif 000008